(57)【要約】【課題】高級感が得られ、しかも良好な復元性を確保できる椅子の座部に用いられるシートを提供する。【解決手段】椅子１の座部２に張設されるシート５は、ポリウレタンレザー等の皮調素材からなる表層と、変形復元性を有するポリエステル系の弾性糸入りの編物あるいは織物からなる裏層が積層されてなる複合層で構成されている。【選択図】図１
0003162691.tif 000002
【実用新案登録請求の範囲】
【請求項１】
椅子の座部に用いられるシートであって、
該シートは、皮調素材からなる表層と、変形復元性を有する素材からなる裏層が積層されてなる複合層で構成されていることを特徴とする椅子用シート。
【請求項２】
前記表層が、合成皮革あるいは人工皮革であることを特徴とする請求項１に記載の椅子用シート。
【請求項３】
前記表層が、不織布であることを特徴とする請求項１に記載の椅子用シート。
【請求項４】
前記表層にプリント加工あるいはエンボス加工が施されていることを特徴とする請求項１または請求項２または請求項３に記載の椅子用シート。
【請求項５】
前記表層が天然皮革であることを特徴とする請求項１に記載の椅子用シート。
【請求項６】
前記裏層が、弾性糸入りの編物あるいは織物であることを特徴とする請求項１または請求項２または請求項３または請求項４または請求項５に記載の椅子用シート。
【考案の詳細な説明】
【技術分野】
【０００１】
本考案は、椅子の座部に用いられる椅子用シートに関するものである。
【背景技術】
【０００２】
従来、特許文献１に開示されているように、立体構造を有する布が存在する。
【先行技術文献】
【特許文献】
【０００３】
【特許文献１】特開平６−１２８８３７号公報
【考案の概要】
【考案が解決しようとする課題】
【０００４】
上記特許文献１に開示されている立体構造の布は、換気能力に優れており、蒸れ感が生じにくいものであるが、このような立体構造の布を椅子の座部に用いると、高級感に乏しく、また、人が座って変形した場合の復元性に乏しいという問題点があった。
【課題を解決するための手段】
【０００５】
本考案は、高級感が得られ、しかも変形した場合の復元性が良好な椅子用シートの提供を目的とし、この目的の少なくとも一部を達成するために以下の手段を採った。
本考案は、椅子の座部に用いられるシートであって、該シートは、皮調素材からなる表層と、変形復元性を有する素材からなる裏層が積層されてなる複合層で構成されていることを要旨とする。
【考案の効果】
【０００６】
本考案の椅子用シートは、表層が皮調素材からなるため、高級感が得られるものとなり、また、裏層は変形復元性を有する素材で形成されているため、人が椅子の座部に着座した後に立ち上がった時等に、良好に元の形状に復元して、美感のある椅子の座部形状を維持できるものとなる。
【０００７】
また、本考案の椅子用シートにおいて、前記表層が、合成皮革あるいは人工皮革であるものとすることもできる。
こうすれば、合成皮革あるいは人工皮革の表層により、良好な高級感が得られるものとなる。
【０００８】
また、本考案の椅子用シートにおいて、前記表層が、不織布であるものとすることもできる。
こうすれば、皮調の不織布の表層により、良好な高級感が得られるものとなる。
【０００９】
また、本考案の椅子用シートにおいて、前記表層にプリント加工あるいはエンボス加工が施されているものとすることもできる。
こうすれば、表層のプリント加工による柄あるいはエンボス加工による模様等により、より高級感が得られるものとなる。
【００１０】
また、本考案の椅子用シートにおいて、前記表層が天然皮革であるものとすることもできる。
こうすれば、天然皮革の表層により、良好な高級感が得られるものとなる。
【００１１】
また、本考案の椅子用シートにおいて、前記裏層が、弾性糸入りの編物あるいは織物であるものとすることもできる。
こうすれば、弾性糸の復元力により、椅子の座部に着座してシートが変形しても、人が立ち上がった時には良好に元の形状に復元されるため、椅子の美感が良好に維持されるものとなる。
【図面の簡単な説明】
【００１２】
【図１】椅子の斜視構成図である。
【図２】椅子の座部に用いられるシートの断面拡大構成図である。
【考案を実施するための形態】
【００１３】
次に、本考案を実施するための形態を実施例を用いて説明する。
図１は、椅子の一例を示す斜視構成図であり、椅子１は、人が着座する座部２の後部に背もたれ部３が立設されており、座部２に脚部４，４，４，４が垂設されている。
この椅子１の座部２にはシート５が張着されており、このシート５によりクッション性が付与されている。
【００１４】
シート５は、図２の拡大断面図で示すような断面構造となっており、表層６は、例えば合成皮革であるポリウレタンレザーで構成されており、裏層７は、例えばポリエステル製の編物７で構成されている。
この編物７のウェル（縦方向の糸）あるいはコース（横方向の糸）の一部には、例えばエンジニアプラスチック等の弾性糸が使用されている。例えば、編物７の１インチの範囲内に何本かの弾性糸が用いられて、編物７全体に変形復元性が付与されている。
【００１５】
この表層６を構成する合成皮革と、裏層７を構成する編物は、積層一体化されているが、合成皮革６と編物７が加熱接着により接着されたものであっても良く、また、接着剤により接着一体化されたものであっても良く、さらには、合成皮革６と編物７が縫製により一体化されて積層されたものであっても良い。
なお、合成皮革６の表面に、プリント加工あるいはエンボス加工（シボ加工）により柄や模様等を形成させておくこともでき、特に、本革調の模様等を合成皮革６の表面に形成させておくことができる。
【００１６】
このように表層６が合成皮革であるため高級感が得られ、しかも裏層７は弾性糸入りの編物で構成されているため、座部２上に人が着座して座部２上に張着されているシート５が変形しても、人が座部２から離れた時には、良好に編物７が弾性糸の弾力性で元の状態に復元し、シート５が、中央部が上方へ膨出した元の形状に復元され、椅子１の美感が良好に維持されるものとなる。
【００１７】
なお、図２における合成皮革６に代えて、塩化ビニールレザーである人工皮革で構成することもでき、また、裏層７は、ポリエステル系の弾性糸入りの織物で構成することもできる。
さらには、表層６に天然皮革（本革）を用いて構成することもでき、本革の裏側に、裏層７としてポリエステル系の弾性糸入りの編物あるいは織物を積層させた構造とすることもできる。
さらには、表層６は、皮調の不織布で、不織布にウレタン含浸をした人工皮革を用いて構成しても良く、裏層７は、ポリエステル系の弾性糸入りの編物あるいは織物で構成することもできる。
【００１８】
このようにシート５の表層６はポリウレタンレザー，塩化ビニールレザー，皮調の不織布あるいは本革等で構成し、さらには表面にプリント加工あるいはエンボス加工を施すことにより、シート５の表層６は高級感を呈するものとなり、椅子１の座部２にシート５が張着されることにより椅子１全体を高級仕様とすることができる。
しかも、シート５の裏層７は、弾性糸入りの変形復元性が付与された編物，織物で構成することで、着座状態から人が立った時に、良好に座部２上のシート５が元の形状に復元して、椅子１の美感を良好に維持できるものとなる。
【００１９】
なお、このような構造のシート５は、図１のような形状の椅子１の座部２に張着される他、ソファ等の形態をなす椅子にも良好に使用することができ、外観上の高級感と良好な変形復元性が得られるものとなる。
【００２０】
なお、本例では、ポリエステル系の弾性糸を用いて変形復元性を確保したものを例示しているが、弾性復元性が良好なナイロン繊維を用いた編物あるいは織物で裏層７を構成しても同様な効果を得ることができるものである。
【符号の説明】
【００２１】
１  椅子
２  座部
５  シート
６  表層（合成皮革）
７  裏層（編物）
【図１】
0003162691.tif 000003
【図２】
0003162691.tif 000004